(57)【特許請求の範囲】
【請求項１】
予め定められた位置に設置されたＴＶカメラに取付けられ、カメラ方位を検出するカメラ方位検出器と、
前記ＴＶカメラに取付けられ、カメラのズーム量を検出するズーム量検出器と、
前記ＴＶカメラで撮影されたＴＶ画像に対して所定周期で前記カメラ方位検出器で検出されたカメラ方位と前記ズーム量検出器で検出されたズーム量とを挿入するデータ挿入手段と、
前記ＴＶカメラを各カメラ方位及び各ズーム量に設定した場合におけるＴＶ画像に含まれる各看板を記憶するカメラ位置看板対応メモリと、
前記ＴＶ画像から前記所定周期でカメラ方位とズーム量を抽出するデータ抽出手段と、
この所定周期で順次抽出されるカメラ方位とズーム量に対応す各看板を前記カメラ位置看板対応メモリから読出す看板読出手段と、
この看板読出手段における各看板の読出し回数を前記ＴＶ画像における各看板の出現回数として計数する看板出現回数カウンタと
を備えたＴＶ放送の看板広告効果調査システム。
【請求項２】
前記看板出現回数カウンタで計数される各看板の出現回数のうち、前記看板読出手段で所定周期数だけ連続して読出された時のみ、これを新たな補正後の出現回数として計数する補正出現回数カウンタ
を備えた請求項１記載のＴＶ放送の看板広告効果調査システム。
【発明の詳細な説明】
【０００１】
【発明の属する技術分野】
本発明は、例えばＴＶ放送における視聴者に対すＴＶ画面に映し出される看板広告の宣伝効果を調査するＴＶ放送の看板広告効果調査システムに関する。
【０００２】
【従来の技術】
例えば、野球やサッカーやバレーやラクビー等の競技は、野球球場やサッカー場や室内競技場等の予め定められた競技空間内で実施される。これら野球場やサッカー場や室内競技場内には、開催される競技のスポンサーを含めて、多数の企業や団体が自己の宣伝のために多数の看板広告を観客の目に付く位置に設置している。
【０００３】
このような競技場で開催される競技は、場合によっては、ＴＶ中継されて各家庭のＴＶ受像器で観戦することができる。また、ＴＶ録画されて、スポーツニュース番組でそのハイライト部分のみが放映される場合もある。
【０００４】
これらの競技場に看板広告を設置する企業や団体においては、その看板が競技場の観客にどの程度アピールするかを検証することは勿論のこと、競技がＴＶ放送された場合に、ＴＶ画面内において競技者の背景に看板が映る場合が多々ある。この場合、ＴＶの視聴者に対してその看板がどの程度アピールするかを検証することも看板設置に対して重要な検証事項である。
【０００５】
【発明が解決しようとする課題】
一般に、ＴＶカメラがよく撮影する位置に看板を設置するのが望ましいことは明らかであるが、しかし、これらは、あくまでも定性的な判断であり、その位置に設置された看板広告の宣伝効果を定量的に検証できない。
【０００６】
このような事態を回避するために、ＴＶの動画像を構成する１／３０秒間隔の静止画を画像認識して、この静止画に含まれる看板を把握する手法が考えられるが、ズーム等を多用することによって、静止画上における看板の大きさが変化すること等も考慮すると、画像認識処理に多大の処理時間が必要となり、実用的でない。
【０００７】
また、サッカー等の動きの激しいスポーツのＴＶ中継においては、ＴＶカメラのカメラ方位も頻繁にかつ高い速度で変化するために、たとえ家庭のＴＶ画面に看板が映ったとしても、ＴＶの視聴者は視聴しているＴＶ画面から、その看板の内容を認識できない懸念がある。
【０００８】
本発明はこのような事情に鑑みてなされたものであり、中継されるＴＶ画像に含まれる看板を画像認識手法以外のソフト的に簡単な手法を用いて検出でき、ＴＶ画像における各看板の出現回数を計数でき、ＴＶ放送されるＴＶ画面で写される看板広告の宣伝効果を定量的に検証できるＴＶ放送の看板広告効果調査システムを提供することを目的とする。
【０００９】
【課題を解決するための手段】
上記課題を解消するために、本発明のＴＶ放送の看板広告効果調査システムにおいては、予め定められた位置に設置されたＴＶカメラに取付けられ、カメラ方位を検出するカメラ方位検出器と、ＴＶカメラに取付けられ、カメラのズーム量を検出するズーム量検出器と、ＴＶカメラで撮影されたＴＶ画像に対して所定周期でカメラ方位検出器で検出されたカメラ方位とズーム量検出器で検出されたズーム量とを挿入するデータ挿入手段と、ＴＶカメラを各カメラ方位及び各ズーム量に設定した場合におけるＴＶ画像に含まれる各看板を記憶するカメラ位置看板対応メモリと、ＴＶ画像から所定周期でカメラ方位とズーム量を抽出するデータ抽出手段と、所定周期で順次抽出されるカメラ方位とズーム量に対応す各看板をカメラ位置看板対応メモリから読出す看板読出手段と、この看板読出手段における各看板の読出し回数をＴＶ画像における各看板の出現回数として計数する看板出現回数カウンタとを備えている。
【００１０】
このように構成されたＴＶ放送の看板広告効果調査システムにおいては、ＴＶカメラのカメラ方位とズーム量は常時検出されている。すなわち、予め定められた位置に設置されたＴＶカメラにおいては、カメラ方位とズーム量が定まれば、このＴＶカメラで得られるＴＶ画像は競技者や観客を除けば固定画像である。もちろん、カメラ方位とズーム量が定まれば、このＴＶカメラで得られるＴＶ画像に含まれる看板も特定される。
【００１１】
そこで、カメラ位置看板対応メモリ内に、ＴＶカメラを各カメラ方位及び各ズーム量に設定した場合におけるＴＶ画像に含まれる各看板を記憶している。したがって、各時刻におけるＴＶカメラのカメラ方位とズーム量を測定することによって、ＴＶ画像における看板の出現回数（出現頻度）を把握できる。
【００１２】
また別の発明においては、上述したＴＶ放送の看板広告効果調査システムにおいて、さらに、看板出現回数カウンタで計数される各看板の出現回数のうち、看板読出手段で所定周期数だけ連続して読出された時のみ、これを新たな補正後の出現回数として計数する補正出現回数カウンタを備えている。
【００１３】
前述したように、ＴＶカメラのカメラ方位が高速で変化した場合、たとえ、ＴＶ画面に看板が映ったとしても、次の瞬間に消えた場合、ＴＶの視聴者はその看板の内容を把握できない。そこで、本発明においては、所定周期数（所定時間）だけ看板が継続して出現（放送）された時のみ、該当看板がＴＶ画面に放映されたと判断する。このような構成とすることによって、より、実際に近い、看板広告の効果を把握できる。
【００１４】
【発明の実施の形態】
以下、本発明の一実施形態を図面を用いて説明する。
図１は実施形態に係るＴＶ放送の看板広告効果調査システムの概略構成を示す模式図である。
【００１５】
例えば、野球中継を実況する場合、野球球場内の予め定められた複数位置に、カメラ番号Ａが付された複数台のＴＶカメラ１が配設される。各ＴＶカメラ１は、ズームレンズ２と、ＣＣＤ撮像素子が内蔵されたカメラ本体３と、カメラ本体３の水平方位α（角度）と垂直方位β（角度）とをカメラマンの操作に応じて任意に支持する支持機構４とで構成されている。
【００１６】
そして、このＴＶカメラ１に対して、ズームレンズ２のズーム量Ｚを検出するズーム量検出器５と、図２に示すように、ＴＶカメラ１の水平方位αと垂直方位βとからなるカメラ方位α、βを検出するカメラ方位検出器６とが取付けられている。また、該当ＴＶカメラ１のカメラ番号Ａを記憶するカメラ番号記憶部８が設けられている。
【００１７】
ＴＶカメラ１から出力されたＴＶ画像信号ａ、前記ズーム量検出器５から出力されたズーム量Ｚ、カメラ方位検出器６から出力されたカメラ方位α、β、及びカメラ番号記憶部８から出力されたカメラ番号Ａは、データ挿入処理部７へ入力される。
【００１８】
データ挿入処理部７は、入力されたＴＶ画像信号ａに、入力されたカメラ番号Ａ、カメラ方位α、β、ズーム量Ｚを挿入データ（Ａ、α、β、Ｚ）として、所定周期で挿入する。このＴＶ画像信号ａに挿入データ（Ａ、α、β、Ｚ）を挿入する具体的手法を図３に示すＴＶ画像信号ａの模式図を用いて説明する。
【００１９】
ＴＶ画像信号ａは、実際には、５２５本の走査線信号が直列接続されたものであるが、説明を簡素化するために、図３に示すように、１／３０秒の所定周期で繰返す静止画である画像データ１１とブランキング区間１２とで構成されているとする。そして、１／３０秒の所定周期で出現するブランキング区間１２に前記挿入データ（Ａ、α、β、Ｚ）を書込む。したがって、１／３０秒の所定周期で更新される各静止画である画像データ１１には、この画像データ１１を撮影した時点におけるＴＶカメラ１のカメラ番号Ａ、カメラ方位α、β、ズーム量Ｚが隣接するブランキング区間１２に挿入データ（Ａ、α、β、Ｚ）として保持される。なお、このブランキング区間１２に挿入された挿入データ（Ａ、α、β、Ｚ）は、一般のＴＶ受信機には表示されない。
【００２０】
データ挿入処理部７から出力された挿入データ（Ａ、α、β、Ｚ）が各ブランキング区間１２に挿入されたＴＶ画像信号ａは、リプレイのためにＶＴＲ９で録画されると共に、番組編成装置１０へ入力される。番組編成装置１０は、番組ディレクターの操作に応じて、各ＴＶカメラ１のデータ挿入処理部７から出力された各ＴＶ画像信号ａのうちのこの時点で最適のＴＶ画像信号ａを選択して放送用ＴＶ画像として中継装置１３へ送出する。
【００２１】
中継装置１３は入力されたＴＶ画像信号ａを送信アンテナ１４、通信衛星１５、受信アンテナ１６を介して放送局側の中継装置１７へ送信する。中継装置１７で受信されたＴＶ画像信号ａはＶＴＲ１８に録画されるとともに、放送局１９へ送出する。放送局１９は受信したＴＶ画像信号ａをアンテナ（テレビ塔）２０から放送電波に載せて放送する。なお、この放送局１９において、ブランキング区間１２に挿入した挿入データ（Ａ、α、β、Ｚ）を除去することも可能である。
【００２２】
ＶＴＲ１８に録画されたＴＶ画像信号ａは、放送に対して、非同期で読出されて、看板広告における宣伝効果の調査を行うデータ解析装置２１へ入力される。
【００２３】
例えば、コンピユータからなるデータ解析装置２１は図５に示すように構成されている。このデータ解析装置２１内には、図４に示すように各ＴＶカメラ１を各カメラ方位α、β、各ズーム量Ｚに設定した場合におけるＴＶ画像データ１１に含まれる各看板２９を記憶するカメラ位置看板対応データベース（メモリ）２４が設けられている。
【００２４】
具体的には、図６に示すように、ＴＶ画像信号ａのブランキング区間１２に挿入された挿入データ（Ａ、α、β、Ｚ）を構成するカメラ番号Ａ、カメラ方位α、β、及びズーム量Ｚにおける全ての組合せに対して、該当ＴＶカメラ１がその組合せに対応するカメラ方位α、β、及びズーム量Ｚに設定した場合におけるこの野球球場に取付けられた全ての看板２９において、各看板２９毎に画像データ１１に出現する（含まれる）か否かが記憶されている。そして、出現する（含まれる）場合が「１」であり、出現しない（含まれない）場合が「０」である。
【００２５】
なお、図４に示すように、画像データ１１内に、看板２９が半分以上含まれる場合を出現する（含まれる）として、「１」に設定するようにしている。また、カメラ方位α、βは例えば１°毎に、ズーム量Ｚは例えば１ｍｍ毎に設定されている。
【００２６】
図５において、ＶＴＲ１８から再生された図３に示すＴＶ画像信号ａは、データ抽出部２２で、ブランキング区間１２に挿入されている１／３０秒間隔の挿入データ（Ａ、α、β、Ｚ）を抽出して看板読出部２３へ送出する。看板読出部２３は、入力した挿入データ（Ａ、α、β、Ｚ）でカメラ位置看板対応データベース２４を検索して、該当挿入データ（Ａ、α、β、Ｚ）に対応する出現を示す「１」に設定された各看板２９（看板番号）を読出して看板毎出現回数カウンタ２５へ送出する。
【００２７】
この看板毎出現回数カウンタ２５はカメラ位置看板対応データベース２４に設定された各看板２９の出現回数ＣＮを計数する。
【００２８】
看板毎出現回数カウンタ２５は、計数した各看板２９毎の出現回数ＣＮを次の補正出現回数カウンタ２６へ送出する。補正出現回数カウンタ２６は、補正された保線出現回数ＣＭを表示器２７及びプリンタ２８へ送出する。表示器２７及びプリンタ２８は、入力された各看板２９（看板番号）毎の補正後の出現回数ＣＭを表示出力するとともに報告書に表示出力する。
【００２９】
このように構成されたデータ解析装置２１の全体動作を図７に示す流れ図を用いて説明する。
【００３０】
ＶＴＲ１８から再生されるＴＶ画像信号ａを構成する１／３０秒間隔の１個の画像データ１１が入力されると（Ｓ１）、データ抽出部２２がこの画像データ１１に隣接するブランキング区間１２から挿入データ（Ａ、α、β、Ｚ）を抽出する（Ｓ２）。次に、抽出した挿入データ（Ａ、α、β、Ｚ）でカメラ位置看板対応データベース２４を検索して、該当挿入データ（Ａ、α、β、Ｚ）に対応する出現を示す「１」に設定された看板番号を読出す（Ｓ３）。
【００３１】
そして看板毎出現回数カウンタ２５内における、今回読出した「１」に設定された看板番号の出現回数ＣＮを更新する（Ｓ４）。
【００３２】
ＣＮ＝ＣＮ＋１
さらに、看板毎出現回数カウンタ２５内における、今回読出されなかった「０」に設定された看板番号の出現回数ＣＮを０にクリアする（Ｓ５）。
【００３３】
ＣＮ＝０
そして、更新後の看板毎出現回数カウンタ２５内における出現回数ＣＮが１５に達した看板２９（看板番号）が存在するか否かを調べる（Ｓ６）。出現回数ＣＮが１５に達したことは、該当看板２９が０．５秒以上継続してＴＶ受像器のＴＶ画面に表示されたと判断して、補正出現回数カウンタ２６内の該当看板番号の出現回数ＣＭを更新する（Ｓ７）。
【００３４】
ＣＭ＝ＣＭ＋１
次に、看板毎出現回数カウンタ２５内における該当看板番号の出現回数ＣＮを０にクリアする（Ｓ８）。
【００３５】
このように構成されたＴＶ放送の看板広告効果調査システムにおいては、図１に示すように、ＴＶカメラ１のカメラ方位α、βとズーム量Ｚはカメラ方位検出器６及びズーム量検出器５で常時検出されている。そして、データ挿入処理部７にて、カメラ番号Ａと共に、挿入データ（Ａ、α、β、Ｚ）としてＴＶカメラ１から出力されたＴＶ画像信号ａに挿入される。
【００３６】
また、カメラ位置看板対応メモリ２４内に、ＴＶカメラ１を各カメラ方位及び各ズーム量に設定した場合におけるＴＶ画像信号ａの各画像データ１１に含まれる各看板２９を記憶している。
【００３７】
したがって、各時刻におけるＴＶカメ１ラのカメラ番号Ａとカメラ方位α、βとズーム量Ｚを測定することによって、ＴＶ画像における看板２９の出現回数（出現頻度）ＣＮを把握できる。
【００３８】
さらに、０，５秒等の所定時間だけ看板２９が継続して出現（放送）された時のみ、該当看板２９がＴＶ受信機のＴＶ画面に放映されたと判断する。このような構成とすることによって、視聴者が気付かない、瞬時に映る看板２９は出現回数ＣＭとして、計数されない。
【００３９】
したがって、看板２９の設置者は、より実際に近い、看板広告の効果を把握できる。
【００４０】
【発明の効果】
以上説明したように、本発明のＴＶ放送の看板広告効果調査システムにおいては、中継されるＴＶ画像に含まれる看板を、ＴＶカメラのカメラ方位とズーム量を検出する検出器とカメラ位置看板対応メモリとを用いて検出している。そして、ＴＶ画像における各看板の出現回数を計数している。したがって、ＴＶ放送されるＴＶ画面で写される看板広告の宣伝効果を定量的に検証できる。
【００４１】
さらに、一定時間継続してＴＶ画面に表示された場合のみ、その表示回数（出現回数）を該当看板の宣伝効果の要因として採用している。したがって、看板の設置者は、より実際に近い看板広告の効果を把握できる。
【図面の簡単な説明】
【図１】本発明の一実施形態に係わるＴＶ放送の看板広告効果調査システムの概略構成を示すブロック図
【図２】同実施例システムに組込まれたＴＶカメラのズーム方向及びカメラ方位を示す模式図
【図３】ＴＶカメラから出力されるＴＶ画像信号を示す模式図
【図４】ＴＶ画像信号を構成する各画像データを示す図
【図５】同実施例システムに組込まれたデータ解析装置の詳細構成を示すブロック図
【図６】同データ解析装置内に形成されたカメラ位置看板対応データベースの記憶内容を示す図
【図７】同実施例システムに組込まれたデータ解析装置の動作を示す流れ図
【符号の説明】
１…ＴＶカメラ
２…ズームレンズ
３…カメラ本体
４…支持機構
５…ズーム量検出器
６…カメラ方位検出器
７…データ挿入処理部
８…カメラ番号記憶部
１０…番組編成装置
１１…画像データ
１２…ブランキング区間
２１…データ解析装置
２２…データ抽出部
２３…看板読出部
２４…カメラ位置看板対応データベース
２５…看板毎出現回数カウンタ
２６…補正出現回数カウンタ
【図１】
0004279940.tif 000002
【図２】
0004279940.tif 000003
【図３】
0004279940.tif 000004
【図４】
0004279940.tif 000005
【図５】
0004279940.tif 000006
【図６】
0004279940.tif 000007
【図７】
0004279940.tif 000008